(57)【要約】【課題】ピストン頂面に触媒成分を配置したピストンにおいて、燃焼室内のガス中の温度分布の偏りやガス成分の分布の偏りに対応して、効率的にガスの浄化を行う。【解決手段】ピストン頂面１１に排気ガス浄化用の触媒成分を配置したピストン１０において、触媒層２０は、ピストン頂面１１の一部に設けられ相対的に低温の触媒活性化温度を有する第一の触媒金属ａを表層に備える第一触媒部２１と、第一触媒部２１よりもピストン頂面１１の外縁１１ａ寄りに設けられ相対的に高温の触媒活性化温度を有する第二の触媒金属ｂを表層に備える第二触媒部２２とを備えるピストン１０とした。第二触媒部２２は第一触媒部２１の周囲に環状に設けられることが望ましい。【選択図】図１
2018131913.tif 000002
【特許請求の範囲】
【請求項１】
ピストン頂面に排気ガス浄化用の触媒成分を配置したピストンにおいて、
前記触媒層は、
前記ピストン頂面の一部に設けられ相対的に低温の触媒活性化温度を有する第一の触媒金属を表層に備える第一触媒部と、
前記第一触媒部よりも前記ピストン頂面の外縁寄りに設けられ相対的に高温の触媒活性化温度を有する第二の触媒金属を表層に備える第二触媒部と、
を備えるピストン。
【請求項２】
前記第二触媒部は、前記第一触媒部の周囲に環状に設けられる
請求項１に記載のピストン。
【請求項３】
燃焼室内に臨む点火装置を備えたエンジンに用いられ、
前記第一触媒部は、前記ピストン頂面の前記点火装置に対向する位置に配置される
請求項１又は２に記載のピストン。
【請求項４】
前記ピストン頂面に凹状のキャビティを備え、
前記第一触媒部は前記キャビティの底面に設けられ、
前記第二触媒部は前記キャビティの外側に設けられる
請求項１〜３の何れか１項に記載のピストン。
【請求項５】
前記キャビティの周縁に前記底面から立ち上がる側壁を備え、
前記側壁は排気ガス浄化用の触媒成分を配置する範囲外に設定される
請求項４に記載のピストン。
【請求項６】
燃焼室内に通じる吸気通路及び排気通路を備えたエンジンに用いられ、
前記第二触媒部は、前記吸気通路側に位置する吸気側第二触媒部と前記排気通路側に位置する排気側第二触媒部とを備え、
前記排気側第二触媒部における前記第二の触媒金属の塗布量が、前記吸気側第二触媒部における前記第二の触媒金属の塗布量よりも多く設定される
請求項１〜５の何れか１項に記載のピストン。
【請求項７】
前記第一の触媒金属はロジウムであり、
前記第二の触媒金属はパラジウムである
請求項１〜６の何れか１項に記載のピストン。
【発明の詳細な説明】
【技術分野】
【０００１】
この発明は、排気ガスを浄化する触媒機能を有するピストンに関する。
【背景技術】
【０００２】
エンジンの燃焼室から引き出された排気通路の途中には、排気ガス中に含まれる有害成分を浄化することを目的として、各種の排気ガス浄化装置が配置される。例えば、ガソリンエンジンでは、排気ガス浄化装置として三元触媒が広く用いられている。
【０００３】
三元触媒は、排気ガス中に含まれる有害物質である炭化水素（ＨＣ）や一酸化炭素（ＣＯ）、窒素酸化物（ＮＯＸ）を、プラチナ、パラジウム、ロジウム等の貴金属含有物を用いた触媒装置によって、排気ガス中から除去する機能を有する。このとき、炭化水素は水と二酸化炭素に酸化し、一酸化炭素は二酸化炭素に酸化する。また、窒素酸化物は窒素に還元される。
【０００４】
ところで、排気ガス浄化装置は、所定の触媒活性化温度以上となる条件下で、その浄化性能を充分に発揮することができる。このため、エンジンの始動直後等の排気ガスの温度が低い条件下では、浄化性能を充分に発揮できない場合がある。そこで、特許文献１では、燃焼室内に臨むピストン頂面（ピストンの上面）に触媒成分を配置した技術が開示されている。燃焼室内は、排気通路内よりも早期に温度上昇するので、ピストン頂面の触媒層は、エンジンの始動直後等における排気ガスの浄化に寄与することができる。
【先行技術文献】
【特許文献】
【０００５】
【特許文献１】特開２０１１−８９４８６号公報
【発明の概要】
【発明が解決しようとする課題】
【０００６】
一般に、近接触媒や床下触媒等の排気ガス浄化装置は、燃焼室から離れた位置にあるため、燃焼室から排気通路を通って排気ガス浄化装置に至るまでの間に、排気ガス中の温度分布あるいはガス成分の分布が、排気ガス全体で一様に近い状態となっている傾向がある。
【０００７】
それに対して、エンジンの燃焼室内は、燃料が燃焼する際の火炎の起点である燃焼中心付近では比較的温度が低く、その燃焼中心から遠ざかるにつれて徐々に火炎が拡がって比較的温度が高くなる傾向がある。また、ＨＣ（炭化水素）の発生源である燃焼室の内周面付近ではＨＣ濃度が比較的高いのに対し、燃焼室の内周面から遠い筒軸付近ではＨＣ濃度が比較的低い傾向がある。
【０００８】
上記特許文献１に記載された技術では、燃焼室内のガス中の温度分布の偏りやガス成分の分布の偏りに対する対策は、何ら開示されていない。このため、効率的にガスの浄化を行うためには、さらに改良の余地がある。
【０００９】
そこで、この発明の課題は、ピストン頂面に触媒成分を配置したピストンにおいて、燃焼室内で効率的にガスの浄化を行うことである。
【課題を解決するための手段】
【００１０】
上記の課題を解決するために、この発明は、ピストン頂面に排気ガス浄化用の触媒成分を配置したピストンにおいて、前記触媒層は、前記ピストン頂面の一部に設けられ相対的に低温の触媒活性化温度を有する第一の触媒金属を表層に備える第一触媒部と、前記第一触媒部よりも前記ピストン頂面の外縁寄りに設けられ相対的に高温の触媒活性化温度を有する第二の触媒金属を表層に備える第二触媒部とを備えるピストンを採用した。
【００１１】
ここで、前記第二触媒部は、前記第一触媒部の周囲に環状に設けられる構成を採用することができる。
【００１２】
また、これらの各態様において、燃焼室内に臨む点火装置を備えたエンジンに用いられ、前記第一触媒部は、前記ピストン頂面の前記点火装置に対向する位置に配置される構成を採用することができる。
【００１３】
さらに、これらの各態様において、前記ピストン頂面に凹状のキャビティを備え、前記第一触媒部は前記キャビティの底面に設けられ、前記第二触媒部は前記キャビティの外側に設けられる構成を採用することができる。
【００１４】
このとき、前記キャビティの周縁に前記底面から立ち上がる側壁を備え、前記側壁は排気ガス浄化用の触媒成分を配置する範囲外に設定される構成を採用することができる。
【００１５】
これらの各態様において、燃焼室内に通じる吸気通路及び排気通路を備えたエンジンに用いられ、前記第二触媒部は、前記吸気通路側に位置する吸気側第二触媒部と前記排気通路側に位置する排気側第二触媒部とを備え、前記排気側第二触媒部における前記第二の触媒金属の塗布量を、前記吸気側第二触媒部における前記第二の触媒金属の塗布量よりも多く設定される構成を採用することができる。
【００１６】
なお、前記第一の触媒金属や前記第二の触媒金属の種別として、例えば、前記第一の触媒金属がロジウム（Ｒｈ）であり、前記第二の触媒金属がパラジウム（Ｐｄ）である構成を採用することができる。
【００１７】
これらの各態様からなるピストンを用いたエンジンの構成として、ピストン頂面に排気ガス浄化用の触媒成分を配置したピストンと、燃焼室と、前記燃焼室内に臨む点火装置とを備え、前記触媒層は、前記ピストン頂面の一部に設けられ相対的に低温の触媒活性化温度を有する第一の触媒金属を表層に備える第一触媒部と、前記第一触媒部よりも前記ピストン頂面の外縁寄りに設けられ相対的に高温の触媒活性化温度を有する第二の触媒金属を表層に備える第二触媒部とを備え、前記第一触媒部は、前記ピストン頂面の前記点火装置に対向する位置に配置されるエンジンを採用することができる。
【００１８】
また、これらの各態様からなるピストンを用いたエンジンの構成として、ピストン頂面に排気ガス浄化用の触媒成分を配置したピストンと、燃焼室と、前記燃焼室内に通じる吸気通路及び排気通路とを備え、前記触媒層は、前記ピストン頂面の一部に設けられ相対的に低温の触媒活性化温度を有する第一の触媒金属を表層に備える第一触媒部と、前記第一触媒部よりも前記ピストン頂面の外縁寄りに設けられ相対的に高温の触媒活性化温度を有する第二の触媒金属を表層に備える第二触媒部とを備え、前記第二触媒部は、前記第一触媒部を挟んで前記吸気通路側に位置する吸気側第二触媒部と前記排気通路側に位置する排気側第二触媒部とを備え、前記排気側第二触媒部における前記第二の触媒金属の塗布量が、前記吸気側第二触媒部における前記第二の触媒金属の塗布量よりも多く設定されるエンジンを採用することができる。
【発明の効果】
【００１９】
この発明は、ピストン頂面に排気ガス浄化用の触媒成分を配置したピストンにおいて、触媒層は、ピストン頂面の一部に設けられ相対的に低温の触媒活性化温度を有する第一の触媒金属を表層に備える第一触媒部と、第一触媒部よりもピストン頂面の外縁寄りに設けられ相対的に高温の触媒活性化温度を有する第二の触媒金属を表層に備える第二触媒部とを備えたので、燃焼室内で効率的にガスの浄化を行うことができる。
【図面の簡単な説明】
【００２０】
【図１】この発明の一実施形態のピストンを備えたエンジンの燃焼室付近の模式図である。
【図２】同実施形態のピストンの斜視図である。
【図３】（ａ）（ｂ）は、それぞれ他の実施形態のピストンの断面図である。
【図４】（ａ）（ｂ），（ｃ）（ｄ）は、それぞれ他の実施形態のピストンを示し、（ａ）は断面図、（ｂ）は（ａ）の平面図、（ｃ）は断面図、（ｄ）は（ｃ）の平面図である。
【図５】（ａ）〜（ｃ）は、それぞれ他の実施形態のピストンを示し、（ａ）は斜視図、（ｂ）は断面図、（ｃ）は斜視図である。
【発明を実施するための形態】
【００２１】
以下、この発明の一実施形態を図面に基づいて説明する。図１は、一実施形態のピストン１０を備えたエンジンＥの模式図である。
【００２２】
エンジンＥのシリンダ１内にピストン１０が収納され、ピストン１０はシリンダ１の筒軸方向に沿って進退自在となっている。ピストン１０の上面であるピストン頂面１１と、シリンダ１の内周面３及びシリンダ１の上面９とで、燃焼室２が構成されている。
【００２３】
燃焼室２には、吸気通路４及び排気通路５が接続されている。燃焼室２への吸気通路４の開口である吸気弁孔は、吸気バルブ６によって開閉される。また、燃焼室２への排気通路５の開口である排気弁孔は、排気バルブ７によって開閉される。
【００２４】
燃焼室２には、吸気通路４を通じて空気が供給される。また、燃焼室２には、吸気通路４内や燃焼室２内に臨む位置に設けられた燃料噴射装置によって、燃料が噴射されるようになっている。燃焼室２内の燃料は、燃焼室２内に臨む位置に設けられた点火装置８の火花によって点火されて燃焼する。この実施形態では、点火装置８は、シリンダ１の上面９の筒軸付近に下向きに配置されている。
【００２５】
燃焼によって生じた排気ガス（燃焼ガス）は、燃焼室２から引き出された排気通路５を通って送り出され、有害物質を除去する触媒を備えた排気ガス浄化装置を通過した後に大気へ放出される。
【００２６】
排気ガス浄化装置として、例えば、燃焼室２に近く比較的高温の排気ガスに晒される機会が多い環境にある近接触媒や、燃焼室２から遠く比較的高温の排気ガスに晒される機会が少ない環境にある床下触媒等が挙げられる。また、排気ガス浄化装置は、通常、排気通路５に沿って配置されたケースと、そのケース内に配置される担体、その担体の外面を覆うように配置される触媒金属等で構成される。
【００２７】
一般に、ガソリンエンジンでは、排気ガス浄化装置として三元触媒を採用している。三元触媒では、排気ガス中に含まれる有害物質である炭化水素や一酸化炭素、窒素酸化物が、プラチナ、パラジウム、ロジウム等の触媒金属によって、排気ガス中から除去される。このとき、炭化水素は水と二酸化炭素に酸化し、一酸化炭素は二酸化炭素に酸化する。また、窒素酸化物は窒素に還元される。
【００２８】
排気ガス浄化装置は、所定の触媒活性化温度以上となる条件下で、その浄化性能を充分に発揮することができる。このため、エンジンの始動直後等の排気ガスの温度が低い条件下では、浄化性能を充分に発揮できない場合がある。そこで、この実施形態では、燃焼室２内に臨むピストン頂面１１に、排気ガス浄化用の触媒成分を配置したピストン１０を用いている。燃焼室２内は、排気ガス浄化装置がある排気通路５内よりも早期に温度上昇するので、エンジンＥの始動直後等の排気温度が比較的低い運転状況においても、排気ガスの浄化機能が期待できる。以下、この配置した触媒成分の層を触媒層２０と称する。
【００２９】
触媒層２０は、図１及び図２に、その触媒活性化温度が互いに異なる第一触媒部２１と第二触媒部２２を備えている。
【００３０】
第一触媒部２１は、ピストン頂面１１の中央に設けられている。この実施形態では、第一触媒部２１は、シリンダ１の筒軸を中心とする平面視円形の範囲に設けられている。
【００３１】
第一触媒部２１は、相対的に低温の触媒活性化温度を有する第一の触媒金属ａを主成分とする表層を備えている。この実施形態では、第一の触媒金属ａとして、ロジウムを採用している。ロジウムは、一酸化炭素や窒素酸化物の浄化性能に優れており、ロジウムの一酸化炭素や窒素酸化物に対する浄化率が５０％となる温度（触媒活性化温度）は約４１０℃で、浄化率９５％に達する温度（触媒活性化温度）は約４４０℃である。
【００３２】
第二触媒部２２は、第一触媒部２１よりもピストン頂面１１の外縁１１ａ寄りに設けられる。この実施形態では、第二触媒部２２は、第一触媒部２１の周囲に環状に設けられている。
【００３３】
第二触媒部２２は、相対的に高温の触媒活性化温度を有する第二の触媒金属ｂを主成分とする表層を備えている。この実施形態では、第二の触媒金属ｂとして、パラジウムを採用している。パラジウムは、炭化水素の浄化性能に優れており、パラジウムの炭化水素に対する浄化率が５０％となる温度（触媒活性化温度）は約４６０℃で、浄化率９５％に達する温度（触媒活性化温度）は約４８０℃である。
【００３４】
図１では、第一触媒部２１を、第一の触媒金属ａを主成分とする表層のみで構成しているが、これを、第一の触媒金属ａからなる表層の下に、１層又は複数層の別の触媒金属からなる下層を形成してもよい。例えば、図３（ａ）の例では、第一の触媒金属ａであるロジウムからなる表層２１ａの下に、パラジウムからなる下層２１ｂを設けている。表層２１ａは、燃焼室２内の排気ガスに早期に接触するので、下層２１ｂよりも排気ガスに対する高い浄化性能が期待できる。下層２１ｂには、表層２１ａを通過した排気ガスが接触することとなる。
【００３５】
また、同様に、図１では、第二触媒部２２を、第二の触媒金属ｂを主成分とする表層のみで構成しているが、これを、第二の触媒金属ｂからなる表層の下に、１層又は複数層の別の触媒金属からなる下層を形成してもよい。例えば、図３（ｂ）の例では、第二の触媒金属ｂであるパラジウムからなる表層２２ａの下に、ロジウムからなる下層２２ｂを設けている。表層２２ａは、燃焼室２内の排気ガスに早期に接触するので、下層２２ｂよりも排気ガスに対する高い浄化性能が期待できる。下層２２ｂには、表層２２ａを通過した排気ガスが接触することとなる。
【００３６】
触媒活性化温度の高い第二触媒部２２が、触媒活性化温度の低い第一触媒部２１よりも外側、すなわち、第一触媒部２１よりもピストン頂面１１の外縁１１ａ寄りに設けられるので、燃料が燃焼する際の火炎の起点である燃焼中心付近の比較的温度が低い燃焼ガスに対しては第一触媒部２１が、燃焼中心から遠ざかるにつれて徐々に火炎が拡がって比較的温度が高くなる外縁部の燃焼ガスに対しては第二触媒部２２が、それぞれ対応する温度領域で所定の浄化機能を発揮できる。このため、燃焼室２内のガス中の温度分布の偏りに対応して、効率的にガスの浄化を行うことができる。
【００３７】
この実施形態では、第一触媒部２１は、ピストン頂面１１の点火装置８に対向する位置に配置されているので、第一触媒部２１を、燃料が燃焼する際の火炎の起点である燃焼中心付近に対して、最も近い位置とすることができる。
【００３８】
また、燃焼室２内において、ＨＣの発生源である内周面３付近ではＨＣ濃度が比較的高いのに対し、内周面３から遠い筒軸付近ではＨＣ濃度が比較的低い傾向があるので、ＨＣに対する浄化性能が高い第二触媒部２２を、ピストン頂面１１の外縁１１ａ寄りに配置することで、ＨＣに対する浄化機能を高めることができる。すなわち、燃焼室２内のガス成分の分布の偏りに対応して、効率的にガスの浄化を行うことができる。
【００３９】
さらに、この実施形態では、ピストン頂面１１に凹状のキャビティ１３を備えている。キャビティ１３は、その凹状の部分に燃料が滞留し、その凹状の部分が火炎の起点である燃焼中心となることを目的に設定される。
【００４０】
キャビティ１３を備えたピストン１０では、図４（ａ）（ｂ）に示すように、第一触媒部２１は、キャビティ１３のフラットな底面１３ａに設けられ、第二触媒部２２は、キャビティ１３の外側に設けられる。第二触媒部２２は、キャビティ外縁１３ｃから、ピストン頂面１１とピストン周面１２との稜線である外縁１１ａに至る範囲で環状に設けられる。
【００４１】
このとき、キャビティ１３の周縁には、底面１３ａから立ち上がる側壁１３ｂが全周に亘って備えられている。側壁１３ｂは、図４（ａ）（ｂ）に示すように、第一触媒部２１や第二触媒部２２をはじめとする排気ガス浄化用の触媒層２０の範囲外、すなわち、触媒成分を配置する範囲外に設定される。キャビティ１３の側壁１３ｂは、火炎の伝播や燃焼ガスの流れをスムーズにするため、できる限り滑らかな表面であることが望ましいため、このように、側壁１３ｂを触媒成分を配置する範囲外に設定することが望ましい。
【００４２】
なお、キャビティ１３の効果を求めないピストン１０の仕様の場合は、キャビティ１３の設置を省略したピストン１０を採用する場合もある。キャビティ１３の設置を省略したピストン１０の場合、例えば、図４（ｃ）（ｄ）に示すように、フラットなピストン頂面１１の中央部に第一触媒部２１を配置し、第二触媒部２２は、第一触媒部２１の周囲に環状に設けられる。このとき、第一触媒部２１の外縁と第二触媒部２２の内縁とを一致させてもよいし、図のように、第一触媒部２１の外縁と第二触媒部２２の内縁との間の環状のエリアを、触媒成分を配置する範囲外に設定してもよい。
【００４３】
図４（ｂ）（ｄ）等に示す符号ｐは、シリンダ１の筒軸とピストン頂面１１との交点であり、この交点は、点火装置８の直下に位置する。これらの実施形態では、第一触媒部２１、第二触媒部２２は、交点ｐを中心として同心円状に配置されているが、燃焼中心が交点ｐからいずれかの側に偏心している場合には、第一触媒部２１の位置を、その偏心している側にずらしてもよい。
【００４４】
さらに、図５（ａ）に示すように、第二触媒部２２として、第一触媒部２１を挟んで吸気通路４側に位置する吸気側第二触媒部２４と、排気通路５側に位置する排気側第二触媒部２５とを備えるようにし、排気側第二触媒部２５における第二の触媒金属ｂの塗布量（配置量）を、吸気側第二触媒部２４における第二の触媒金属ｂの塗布量（配置量）よりも多くなるように設定してもよい。炭化水素の排出は、主に、燃焼行程の後半に多く発生するため、このように、炭化水素の浄化に有利な第二の触媒金属ｂの塗布量を排気通路５側に多く配置することが望ましい。
【００４５】
吸気側第二触媒部２４と排気側第二触媒部２５との触媒金属の塗布量の差異は、例えば、図５（ａ）に示すように、触媒金属を塗布するエリアの面積の差異や、図５（ｂ）に示すように、触媒金属を塗布する厚さの差異によって設定することができる。特に、触媒金属をピストン頂面１１へ蒸着させる場合、このような設定方法が容易である。
【００４６】
また、触媒金属の塗布は、触媒金属を含ませたスラリをピストン頂面１１へ塗布することによって行うことができる。この場合、吸気側第二触媒部２４と排気側第二触媒部２５との触媒金属の塗布量の差異は、例えば、吸気側第二触媒部２４用のスラリと排気側第二触媒部２５用のスラリにおける触媒金属の含有密度の差異で設定してもよいし、あるいは、それぞれのスラリを塗布するエリアの面積や厚さの差異によって設定することもできる。
【００４７】
スラリの母材は、例えば、アルミナ（Ａｌ２Ｏ３）、酸化ジルコニウム（ジルコニア／ＺｒＯ２）、酸化セリウム（セリア／ＣｅＯ２）、酸化ジルコニウム−酸化セリウムを主成分とする複合酸化物（ＣｅＯ２−ＺｒＯ２）等を採用できる。特に、スラリの母材としてアルミナを採用すれば、ピストンによる熱損失を抑制する効果が期待できる。
【００４８】
蒸着やスラリの塗布等、いずれの方法による場合も、触媒金属の層厚さ（塗布厚さ）は、１００μｍ以下とすることが望ましい。
【００４９】
上記の実施形態では、第一触媒部２１の周囲全周に第二触媒部２２を配置したが、第一触媒部２１の周囲の一部方位にのみ、第二触媒部２２を配置した構成を採用することができる。このとき、第二触媒部２２は、排気通路５側に配置されることが望ましい。
【００５０】
さらに、上記の実施形態では、触媒金属の種別として、例えば、第一の触媒金属ａがロジウム（Ｒｈ）であり、第二の触媒金属ｂがパラジウム（Ｐｄ）である構成を採用したが、実施形態に示す以外の他の触媒金属を採用することも可能である。例えば、第一の触媒金属ａとしてプラチナ（Ｐｔ）等の他の触媒金属を採用してもよい。
【００５１】
上記の実施形態では、点火装置８は、シリンダ１の上面９の筒軸付近に下向きに配置されているが、シリンダ１の内周面３から横向き、あるいは、斜め下向き等でもよい。この場合、図５（ｃ）に示すように、第一触媒部２１を点火装置８に対向する部分、すなわち、燃料が燃焼する際の火炎の起点である燃焼中心付近に近い位置とすることができる。このとき、第二触媒部２２は、その第一触媒部２１よりもピストン頂面１１の外縁１１ａ寄りに設けられる。
【００５２】
なお、これらの実施形態では、ガソリンエンジンにおける排気ガスの浄化について説明したが、この発明は、ガソリンエンジン以外にもディーゼルエンジン等、エンジン全般に用いることができる。
【００５３】
自己着火式であるディーゼルエンジンの場合、燃料が燃焼する際の火炎の起点である燃焼中心は燃焼室２内における筒軸付近である場合が多い。このため、燃焼室２内の中央である筒軸付近では比較的温度が低く、その燃焼中心から遠ざかるにつれて徐々に火炎が拡がって比較的温度が高くなる傾向がある。したがって、上記の実施形態と同様、ピストン頂面１１の一部に配置した第一触媒部２１よりもピストン頂面１１の外縁１１ａ寄りに第二触媒部２２を配置することが望ましい。特に、第一触媒部を、燃焼中心に近いピストン頂面１１の中央に配置し、第一触媒部２１よりもピストン頂面１１の外縁１１ａ寄りに第二触媒部２２を配置することが望ましい。
【符号の説明】
【００５４】
１  シリンダ
２  燃焼室
３  内周面
４  吸気通路
５  排気通路
６  吸気バルブ
７  排気バルブ
８  点火装置
９  上面
１０  ピストン
１１  ピストン頂面
１１ａ  外縁
１２  ピストン周面
１３  キャビティ
１３ａ  底面
１３ｂ  側壁
１３ｃ  キャビティ外縁
２０  触媒層
２１  第一触媒部
２２  第二触媒部
２４  吸気側第二触媒部
２５  排気側第二触媒部
ａ  第一の触媒金属
ｂ  第二の触媒金属
Ｅ  エンジン
【図１】
2018131913.tif 000003
【図２】
2018131913.tif 000004
【図３】
2018131913.tif 000005
【図４】
2018131913.tif 000006
【図５】
2018131913.tif 000007